(57)【要約】本発明に係るオイルパン（１）は、底部（１０）と、該底部（１０）の外周に立設された外周壁（１１）とからなり、オイルを吸入するストレーナ（２）の開口を通る車両前後方向の軸線の両側に、前記底部（１０）から車両上下方向の上方に向けて突出することで壁部を形成する第１及び第２オイル流動抑制部（１０１，１０２）が設けられている。オイルパン（１）によれば、ストレーナ（２）からのエア吸い現象を抑制することができる。
2015198732.tif 000002
【特許請求の範囲】
【請求項１】
底部と、該底部の外周に立設された外周壁とからなるオイルパンであって、
オイルを吸入するストレーナの開口を通る車両前後方向の軸線の両側に、前記底部から車両上下方向の上方に向けて突出することで壁部を形成する第１及び第２オイル流動抑制部を設けた、オイルパン。
【請求項２】
請求項１に記載のオイルパンにおいて、
前記ストレーナの開口を通る車両前後方向の軸線は、前記第１オイル流動抑制部と前記第２オイル流動抑制部との間の略中心を通る、オイルパン。
【請求項３】
請求項１または２に記載のオイルパンにおいて、
前記ストレーナは、前記底部の車両前後方向中心よりも一方側の位置に開口し、
前記第１及び第２オイル流動抑制部の車両前後方向一方側の壁部の車両上下方向高さは、他方側の壁部よりも高い、オイルパン。
【請求項４】
請求項１ないし３いずれか一つに記載のオイルパンにおいて、
前記第１及び第２オイル流動抑制部の車両前後方向一方側の壁部の面が車幅方向に延在する壁部面は、車幅方向と略３０度以上で略７０度以下の角度で交差する、オイルパン。
【請求項５】
請求項１ないし４いずれか一つに記載のオイルパンにおいて、
前記底部の車両前後方向前端部の車両上下方向上端部位置が、前記外周壁の車両前後方向後端部の車両上下方向上端部位置よりも高くなるように車両に搭載される、オイルパン。
【請求項６】
請求項１ないし５いずれか一つに記載のオイルパンにおいて、
前記ストレーナの前記開口は、前記底部の車両前後方向中心よりも後方側に設けられている、オイルパン。
【請求項７】
請求項１ないし６いずれか一つに記載のオイルパンにおいて、
前記第１及び第２オイル流動抑制部は、車両前後方向において同じ位置に形成されている、オイルパン。
【請求項８】
請求項１ないし７いずれか一つに記載のオイルパンにおいて、
前記ストレーナの開口と底部との隙間の最大値は、常温時にエア吸い現象を回避可能な第１所定値以下とし、前記隙間の最小値は、所定低温時にエア吸い現象を回避可能な第２所定値以上とした、オイルパン。
【発明の詳細な説明】
【技術分野】
【０００１】
本発明は、変速機等の下面側に取り付けられるオイルパンに関する。
【背景技術】
【０００２】
従来、特許文献１には、オイルパンのボルト取り付け部近傍にリブを持たせ、オイルパンの強度を確保した技術が開示されている。【０００３】
近年、燃費改善を目的として、変速機内のギヤによるオイル掻き揚げ時のフリクションの減少及びコスト削減の観点から、オイル量の低減を図ることが望まれている。しかしながら、オイル量を削減すると、オイルレベルが低下するため、急ブレーキ時や急発進時など、大きな加減速度が生じる際に、オイルパンからオイルを吸い込むためのストレーナの開口が露出してしまい、空気を吸い込むエア吸い現象が生じるという問題があった。エア吸い現象は、変速機の油圧制御に影響を与えるため、極力抑制しなければならない。
【先行技術文献】
【特許文献】
【０００４】
【特許文献１】特開２０１１-１１２１２６号公報
【発明の概要】
【０００５】
本発明は、ストレーナからのエア吸い現象を抑制可能なオイルパンを提供することにある。
上記目的を達成するため、本発明では、底部と、該底部の外周に立設された外周壁とからなるオイルパンであって、オイルを吸入するストレーナの開口を通る車両前後方向の軸線の両側に、前記底部から車両上下方向の上方に向けて突出することで壁部を形成する第１及び第２オイル流動抑制部を設けた。
【０００６】
よって、ストレーナの開口周辺のオイルの流動範囲が抑制され、ストレーナの開口近傍におけるオイルレベルを確保できる。また、オイルパンの容積を減少させることでオイル量を削減できる。また、オイルパンの底部を突出させ、両側にオイル流動抑制部を設けたことにより、リブ効果によるオイルパンの剛性を向上でき、外部からの耐衝撃性を向上できる。
【図面の簡単な説明】
【０００７】
【図１】実施例１のオイルパンを表す平面図である。
【図２】実施例１のオイルパンを表す底面図である。
【図３】実施例１のオイルパンのＡ−Ａ断面図である。
【図４】第１及び第２規制壁部の傾きと限界減速度との関係を表す特性図である。
【図５】ストレーナの開口部と後方底部との隙間βと限界減速度の関係を表す特性図である。
【図６】所定低温時にオイルを吸い込んだ際にオイルレベルに生じるエアポケット現象を表す概略図である。
【発明を実施するための形態】
【実施例１】
【０００８】
図１は、実施例１のオイルパンを表す平面図、図２は、実施例１のオイルパンを表す底面図、図３は、実施例１のオイルパンのＡ−Ａ断面図である。図１〜３におけるｘ軸は車両前後方向（正方向が車両前方）を表し、ｙ軸は車幅方向（正方向が車両左側）を表し、ｚ軸は車両上下方向（正方向が車両上方）を表す。オイルパン１は、底部１０と、底部１０の外周に立設された外周壁１１とを有する。外周壁１１の開口端部にはフランジ部１２が形成されている。フランジ部１２には、図外の変速機ハウジングの下面側から固定するためのボルトを挿通するボルト穴１２ａを複数有する。オイルパン１には、図外の変速機に供えられたオイルポンプの駆動によりオイルを吸引するためのストレーナ２が位置する。ストレーナ２は、車両下方に向けて開口しオイルを吸引する開口部２１と、開口部２１から吸引されたオイルをろ過するフィルター部２２とを有する。【０００９】
図１に示すように、オイルパン１は、車両前後方向において大きく分けて３つの領域から構成されている。後方領域は、ストレーナ２の開口部２１が位置する領域であり、オイルレベルの深さが必要とされる。実施例１のオイルパン１では、急制動時におけるオイルレベル確保の観点からストレーナ２の開口部２１を車両後方側に配置している。後方領域の底部１０である後方底部１０ａは車載時に略水平となるように形成されている。【００１０】
中間領域の底部１０である中間底部１０ｂは、車載時に後方領域から前方領域にかけて徐々に車両上方に向けて上昇する傾斜面として形成されている。この中間底部１０ｂには、中間底部１０ｂから車両上方に向けて突出形成された第１オイル流動抑制部１０１と、第２オイル流動抑制部１０２とを有する。第１オイル流動抑制部１０１は、車両後方側であって車両前後方向と所定の角度を持って交差するように形成された第１規制壁部１０１ａと、車両前後方向に沿って形成され車両後方に向かうに従って高くなる第１ガイド壁部１０１ｂと、を有する。同様に、第２オイル流動抑制部１０２には、車両後方側に形成され、車両前後方向と所定の角度を持って交差する第２規制壁部１０２ａと、車両前後方向に沿って形成され車両後方に向かうに従って高くなる第２ガイド壁部１０２ｂと、を有する。【００１１】
第１ガイド壁部１０１ｂと第２ガイド壁部１０２ｂとの間の中間底部１０ｂには、制動等に伴って前方領域にオイルが移動する流路となると共に、移動したオイルを後方領域に還流するための流路となる流路底部１０３を有する。言い換えると、第１オイル流動抑制部１０１と第２オイル流動抑制部１０２とは、ｙ軸方向から見た時、少なくとも車両後方側において重なる位置に設けられている。これにより、第１規制壁部１０１ａと第２規制壁部１０２ａとでストレーナ２の開口部２１近傍で効果的にオイル流動を抑制する。加えて、第１ガイド壁部１０１ｂと第２ガイド壁部１０２ｂと流路底部１０３とでストレーナ２の開口部２１近傍で効果的にオイルを流すための流路を形成する。また、第１ガイド壁部１０１ｂの最もｙ軸負方向側端部を通る線をＱ１とし、第２ガイド壁部１０２ｂの最もｙ軸正方向側端部を通る線をＱ２としたとき、Ｑ１とＱ２の中心を通る線Ｑ３は、ストレーナ２の開口部２１と重なる位置に設けられている（図２参照）。よって、オイルが流動する際、開口部２１近傍を流通するため、開口部２１付近のオイルレベルを確保できる。【００１２】
前方領域の底部１０である前方底部１０ｃは、車載時に中間底部１０ｂの傾斜よりも大きな（車両前方に向かうに連れて大きく上昇する）傾斜を有する傾斜面として形成されている。実施例１では、中間底部１０ｂと前方底部１０ｃとは連続的に接続されている。言い換えると、第１オイル流動抑制部１０１や第２オイル流動抑制部１０２の車両前方側に壁部を設けない構成とされている。よって、前方底部１０ｃ側に流れたオイルをスムーズに後方底部１０ａに還流できる。尚、第１オイル流動抑制部１０１や第２オイル流動抑制部１０２の車両前方側に壁部を設ける場合には、第１規制壁部１０１ａや第２規制壁部１０２ａの高さよりも低い壁部とすることが望ましい。このように、中間領域における第１オイル流動抑制部１０１や第２オイル流動抑制部１０２の突出量を抑制することで、ストレーナ２や変速機側の構造物との干渉を抑制できる。【００１３】
また、車両搭載状態において、外周壁１１が立ち上がる前方底部１０ｃの前端部１０ｃ１のｚ軸方向高さ位置は、フランジ部１２の車両後方端部１２１のｚ軸方向高さ位置よりも高くなるように設置される。このように、前方底部１０ｃが大きく上昇することで、前方底部１０ｃから立設された車両前方側の外周壁１１の壁面への障害物等の接触を回避する。すなわち、外周壁１１の壁面は障害物等からの力が入力しやすいためオイルパン１への衝撃が大きくなりやすい。一方、前方底部１０ｃのような傾斜面であれば、障害物等からの力が分散して入力されるため、オイルパン１の耐久性の向上を図るものである。また、前端部１０ｃ１が車両後方端部１２１のｚ軸方向高さ位置よりも高くしている。これにより、オイルパン１の前方領域に移動したオイルがストレーナ２の開口部２１が位置する後方領域に回収しやすくすると共に、後方領域におけるオイルレベルを確保する。【００１４】
（第１及び第２規制壁部について）
図４は、第１及び第２規制壁部の傾きと限界減速度との関係を表す特性図である。ここで、第１及び第２規制壁部１０１ａ，１０２ａの壁部の面が車幅方向に延在する壁部面方向をＰ１（図２参照）とし、車幅方向であるｙ軸方向との成す角をαと定義する。限界減速度とは、車両に所定減速度を発生させた際、ストレーナ２からのエア吸い現象が発生する減速度を表す。図４に示すように、αを０度（ｙ軸方向）から徐々に大きくしていくと、徐々に限界減速度が上昇していき、略５０度を頂点として下降していくことが判明した。αが大きすぎると、後方領域のオイルが減速度の発生時に前方領域に移動しやすく、後方領域でのオイルの滞留、すなわちオイルレベルの確保が困難となる。一方、αが小さすぎると、ストレーナ２の開口部２１に効率よくオイルを導くことができず、やはりオイルレベルの確保が困難となる。【００１５】
実際の車両適用に際し、車両に発生し得る最大減速度にあってもエア吸い現象の発生が抑制できるのは、αが略３０度から略７０度の範囲であった。そこで、実施例１では、αを略５０度に設定し、減速時におけるオイル移動を適切に抑制している。尚、略５０度に限らず、略３０度から略７０度の範囲で適宜設定すればよい。また、実施例１では、第１規制壁部１０１ａとｙ軸方向が成す角と、第２規制壁部１０２ａとｙ軸方向とが成す角とは略一致するように構成したが、略３０度から略７０度の範囲で異なる成す角に設定してもよい。【００１６】
（ストレーナ開口部と後方底部との隙間βと限界減速度との関係について）
図５は、ストレーナ２の開口部２１と後方底部１０ａとの隙間βと限界減速度の関係を表す特性図である。ストレーナ２の開口部２１と後方底部１０ａとの隙間をβとする（図２参照）。図５の実線は常温時における隙間βと限界減速度の関係を表す。常温で隙間βを徐々に変更した場合、限界減速度は隙間βが小さいほど限界減速度は大きく確保でき、隙間βが大きくなると、オイルの粘性が低く流動性能が確保されているため、限界減速度は大きく減少し始める。よって、最大減速度を満たす条件は、隙間βがβ１以下である必要がある。【００１７】
次に、所定低温（例えば-３０°Ｃ）で隙間βを徐々に変更した場合を想定する。図５の点線は所定低温時における隙間βと限界減速度の関係を表す。所定低温時にあっては、オイルの粘度が水あめ状のように高くなる。よって、油の流動が抑制されるため、隙間βを大きくしたとしても、減速度の発生によるオイルレベルの低下は生じにくい。しかし、隙間βを小さくし、局所的にオイルを吸引すると、限界減速度は減少する傾向を持つ。
図６は、所定低温時にオイルを吸い込んだ際にオイルレベルに生じるエアポケット現象を表す概略図である。オイルの粘性が高く流動が抑制されているため、吸引されることで低下したオイルレベルの部分に他のオイルが流れ込みにくく、部分的にオイルレベルが低下する現象が発生する。これをエアポケット現象という。
よって、図５の点線で示す特性図のように、隙間βを小さくすると、エアポケット現象によって局所的なオイルレベルの低下が発生し、エア吸い現象が起きやすくなる。よって、最大減速度を満たす条件は、隙間βがβ０以上である必要がある。故に、両温度条件を満たすβは、β０＜β＜β１の領域となる。この範囲となるように隙間βを設定することで、温度条件によらず安定的にエア吸い現象を抑制できる。【００１８】
以上説明したように、実施例１にあっては下記に列挙する作用効果が得られる。
（１）底部１０と、該底部１０の外周に立設された外周壁１１とからなるオイルパン１であって、オイルを吸入するストレーナ２の開口を通る線Ｑ３（車両前後方向の軸線）の両側に、底部１０から車両上下方向の上方に向けて突出することで壁部を形成する第１及び第２オイル流動抑制部１０１，１０２を設けた。
よって、ストレーナ２の開口部２１周辺のオイルの流動範囲が抑制され、ストレーナ２の開口部２１近傍におけるオイルレベルを確保できる。また、オイルパン１の容積を減少させることでオイル量を削減できる。また、オイルパン１の底部１０を突出させるため、第１及び第２オイル流動抑制部間によるリブ効果によりオイルパン１の剛性を向上でき、外部からの耐衝撃性を向上できる。【００１９】
（２）ストレーナ２の開口部２１を通る線Ｑ３（車両前後方向軸）は、第１オイル流動抑制部１０１と第２オイル流動抑制部１０２との最近接部の中心を通ることとした。
よって、車両による急激な加減速が生じてオイルが流動する際、前後方向で開口部２１を含む流通路であるため、開口部２１付近のオイルレベルを確実に確保することができる。【００２０】
（３）ストレーナ２は、底部１０の後方領域（車両前後方向中心よりも一方側の位置）に開口し、第１及び第２オイル流動抑制部１０１，１０２の第１規制壁部１０１ａ及び第２規制壁部１０２ａ（車両前後方向一方側の壁部）の車両上下方向高さは、前方領域（他方側）の壁部よりも高い。実施例１の場合、第１オイル流動抑制部１０１や第２オイル流動抑制部１０２の車両前方側に壁部を設けない構成とされている。よって、前方底部１０ｃ側に流れたオイルをスムーズに後方底部１０ａに還流できる。尚、第１オイル流動抑制部１０１や第２オイル流動抑制部１０２の車両前方側に壁部を設ける場合には、第１規制壁部１０１ａや第２規制壁部１０２ａの高さよりも低い壁部とすることが望ましい。このように、中間領域における第１オイル流動抑制部１０１や第２オイル流動抑制部１０２の突出量を抑制することで、ストレーナ２や変速機側の構造物との干渉を抑制できる。【００２１】
（４）ストレーナ２は、底部１０の後方領域（車両前後方向中心よりも一方側の位置）に開口し、第１及び第２オイル流動抑制部１０１，１０２の第１規制壁部１０１ａ及び第２規制壁部１０２ａ（車両前後方向一方側の壁部）が延在する延在方向は、ｙ軸方向（車幅方向）と３０度以上７０度以下の角度で交差する。
よって、車両による前後方向の動きにより、オイルの流動が両規制壁部により流動方向を規制して、オイルの流動による移動を適度に抑制し、かつ、ストレーナ２の開口部２１に効果的にオイルを導くことができ、エア吸い現象の発生を抑制できる。【００２２】
（５）底部１０の前端部１０ｃ１（車両前後方向前端部）のｚ軸方向（車両上下方向）の上端部位置が、フランジ部１２の車両後方端部１２１（外周壁の車両前後方向後端部）の車両上下方向の上端部位置よりも高くなるように車両に搭載される。
これにより、オイルパン１の前方領域に移動したオイルがストレーナ２の開口部２１が位置する後方領域に回収しやすくすると共に、後方領域におけるオイルレベルを確保できる。【００２３】
（６）ストレーナ２は、底部１０の車両前後方向中心よりも車両後方側に開口する。よって、加速時に比べて大きな速度変化が起きる減速時に効果的にオイルレベルを確保することができる。【００２４】
（７）第１及び第２オイル流動抑制部１０１，１０２は、車両前後方向において同じ位置に形成されている。
よって、第１規制壁部１０１ａと第２規制壁部１０２ａとでストレーナ２の開口部２１近傍で効果的にオイル流動範囲を抑制する。加えて、第１ガイド壁部１０１ｂと第２ガイド壁部１０２ｂと流路底部１０３とでストレーナ２の開口部２１近傍で効果的にオイルを流すための流路を形成できる。【００２５】
（８）ストレーナ２の開口部２１と底部１０との隙間βの最大値は、常温時にエア吸い現象を回避可能なβ１（第１所定値）以下とし、隙間βの最小値は、所定低温時にエア吸い現象を回避可能なβ０（第２所定値）以上とした。
常温時はオイルの粘性が低いためオイルの流動性が良い。よって、常温時に最大減速度であってもエア吸い現象を回避できる隙間β１以下にした。一方、所定低温時はオイルの粘性が高いため、オイルの流動性が悪いので、エアポケット現象によってエア吸い現象が発生する。よって、エアポケット現象が発生したとしてもエア吸い現象を回避できる隙間β０以上にした。これにより、温度条件によらず安定的にエア吸い現象を抑制できる。【００２６】
以上実施例１に基づいて本発明を説明したが、上記構成に限らず発明の範囲内であれば他の構成であっても構わない。実施例１では、第１ガイド壁部１０１ｂと第２ガイド壁部１０２ｂとを形成する際、ストレーナ２の開口部２１のｙ軸方向端部位置と線Ｑ１，Ｑ２とが略一致するように設定したが、必ずしも一致していなくてもよい。また、線Ｑ３がストレーナ２の開口部２１を通過すればよく、ストレーナ２の開口部２１の中心とずれた位置を線Ｑ３が通過する構成でも構わない。
【図１】
2015198732.tif 000003
【図２】
2015198732.tif 000004
【図３】
2015198732.tif 000005
【図４】
2015198732.tif 000006
【図５】
2015198732.tif 000007
【図６】
2015198732.tif 000008
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
底部と、該底部の外周に立設された外周壁とからなるオイルパンであって、
オイルを吸入するストレーナの開口を通る車両前後方向の軸線の両側に、前記底部から車両上下方向の上方に向けて突出する第１オイル流動抑制及び第２オイル流動抑制部を設け、
前記第１オイル流動抑制部及び前記第２オイル流動抑制部は、
車幅方向に延びる規制壁部と、
車両前後方向に延びるガイド壁部と、
をそれぞれ有し、
前記第１オイル流動抑制部のガイド壁部と前記第２オイル流動抑制部のガイド壁部との間に前記開口に向かうオイル流路が形成される、オイルパン。
【請求項２】
請求項１に記載のオイルパンにおいて、
前記ストレーナの開口を通る車両前後方向の軸線は、前記第１オイル流動抑制部のガイド壁部と前記第２オイル流動抑制部のガイド壁部との間の略中心を通る、オイルパン。
【請求項３】
請求項１または２に記載のオイルパンにおいて、
前記ストレーナは、前記底部の車両前後方向中心よりも一方側の位置に開口し、
前記第１及び第２オイル流動抑制部の車両前後方向一方側の壁部の車両上下方向高さは、他方側の壁部よりも高い、オイルパン。
【請求項４】
請求項１ないし３いずれか一つに記載のオイルパンにおいて、
前記第１及び第２オイル流動抑制部の車両前後方向一方側の壁部の面が車幅方向に延在する壁部面は、車幅方向と略３０度以上で略７０度以下の角度で交差する、オイルパン。
【請求項５】
請求項１ないし４いずれか一つに記載のオイルパンにおいて、
前記底部の車両前後方向前端部の車両上下方向上端部位置が、前記外周壁の車両前後方向後端部の車両上下方向上端部位置よりも高くなるように車両に搭載される、オイルパン。
【請求項６】
請求項１ないし５いずれか一つに記載のオイルパンにおいて、
前記ストレーナの前記開口は、前記底部の車両前後方向中心よりも後方側に設けられている、オイルパン。
【請求項７】
請求項１ないし６いずれか一つに記載のオイルパンにおいて、
前記第１及び第２オイル流動抑制部は、車両前後方向において同じ位置に形成されている、オイルパン。
【請求項８】
請求項１ないし７いずれか一つに記載のオイルパンにおいて、
前記ストレーナの開口と底部との隙間の最大値は、常温時にエア吸い現象を回避可能な第１所定値以下とし、前記隙間の最小値は、所定低温時にエア吸い現象を回避可能な第２所定値以上とした、オイルパン。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
底部と、該底部の外周に立設された外周壁とからなるオイルパンであって、
オイルを吸入するストレーナの開口を通る車両前後方向の軸線の両側に、前記底部から車両上下方向の上方に向けて突出する第１オイル流動抑制部及び第２オイル流動抑制部を設け、
前記第１オイル流動抑制部及び前記第２オイル流動抑制部は、
車幅方向に延びる規制壁部と、
車両前後方向に延びるガイド壁部と、
をそれぞれ有し、
前記第１オイル流動抑制部のガイド壁部と前記第２オイル流動抑制部のガイド壁部との間に前記開口に向かうオイル流路が形成され、
前記ストレーナは、前記底部の車両前後方向中心よりも一方側の位置に開口し、
前記第１及び第２オイル流動抑制部の車両前後方向一方側の壁部の車両上下方向高さは、他方側の壁部よりも高い、オイルパン。
【請求項２】
請求項１に記載のオイルパンにおいて、
前記ストレーナの開口を通る車両前後方向の軸線は、前記第１オイル流動抑制部のガイド壁部と前記第２オイル流動抑制部のガイド壁部との間の略中心を通る、オイルパン。
【請求項３】
請求項１又は２に記載のオイルパンにおいて、
前記第１及び第２オイル流動抑制部の車両前後方向一方側の壁部の面が車幅方向に延在する壁部面は、車幅方向と略３０度以上で略７０度以下の角度で交差する、オイルパン。
【請求項４】
請求項１ないし３のいずれか一つに記載のオイルパンにおいて、
前記底部の車両前後方向前端部の車両上下方向上端部位置が、前記外周壁の車両前後方向後端部の車両上下方向上端部位置よりも高くなるように車両に搭載される、オイルパン。
【請求項５】
請求項１ないし４のいずれか一つに記載のオイルパンにおいて、
前記ストレーナの前記開口は、前記底部の車両前後方向中心よりも後方側に設けられている、オイルパン。
【請求項６】
請求項１ないし５のいずれか一つに記載のオイルパンにおいて、
前記第１及び第２オイル流動抑制部は、車両前後方向において同じ位置に形成されている、オイルパン。
【請求項７】
請求項１ないし６のいずれか一つに記載のオイルパンにおいて、
前記ストレーナの開口と底部との隙間の最大値は、常温時にエア吸い現象を回避可能な第１所定値以下とし、前記隙間の最小値は、所定低温時にエア吸い現象を回避可能な第２所定値以上とした、オイルパン。
【国際調査報告】
2015198732.tif 000009
2015198732.tif 000010
2015198732.tif 000011